(57)【要約】【課題】硬質部材からなるために外観的にガラス、金属、鉱物的な外観を有する靴を提供する。【解決手段】  ヒール部２と、ヒール部２の上に接合する、靴底部３と、靴底部３の上に接合する、アッパー部４と、を有する靴１であって、ヒール部２と靴底部３は、少なくとも一部が透明または半透明の硬質部材、または表面が金属的または鉱物的な光沢を有する硬質部材からなるように構成した。【選択図】図１
2019051278.tif 000002
【特許請求の範囲】
【請求項１】
ヒール部と、
前記ヒール部の上に接合する、靴底部と、
前記靴底部の上に接合する、アッパー部と、
を有する靴であって、
前記ヒール部と前記靴底部は、少なくとも一部が透明または半透明の硬質部材、または表面が金属的または鉱物的な光沢を有する硬質部材からなることを特徴とする靴。
【請求項２】
請求項１に記載の靴のアッパー部は、
少なくとも一部が透明または半透明の硬質部材、または表面が金属的または鉱物的な光沢を有する硬質部材からなることを特徴とする靴。
【請求項３】
請求項１または２に記載の靴であって、
表面の少なくとも一部は、色彩または玉虫色の光沢を有することを特徴とする靴。
【請求項４】
請求項１〜３のいずれか一項に記載の靴であって、
表面の少なくとも一部に、複数の反射平面（ファセット）を有することを特徴とする靴。
【請求項５】
請求項１〜４のいずれか一項に記載の靴であって、
前記硬質部材は、無機ガラス、有機ガラスのいずれかからなることを特徴とする靴。
【請求項６】
請求項１〜５のいずれか一項に記載の靴であって、
前記ヒール部、前記靴底部、前記アッパー部の少なくとも一部の外表面に、ダイヤモンドを含む宝石、真珠、またはそれらのイミテーション、リボン、動植物をモチーフにしたオブジェを含む装飾を有することを特徴とする靴。
【請求項７】
請求項１〜６のいずれか一項に記載の靴であって、
前記ヒール部、前記靴底部、前記アッパー部の少なくとも一部の外表面に、前記装飾を取り付けるための取付部を有することを特徴とする靴。
【請求項８】
請求項７に記載の靴であって、
前記取付部は、前記装飾を嵌込み、スライド、貼付けによって取り付け可能であることを特徴とする靴。
【請求項９】
請求項１〜８のいずれか一項に記載の靴であって、
装着者の中足骨の先端が位置する前記靴底部の一部に、装着者の体重を受ける湾曲部を有することを特徴とする靴。
【請求項１０】
請求項１〜９のいずれか一項に記載の靴であって、
前記靴底部の厚みは、８ｍｍ〜５０ｍｍであることを特徴とする靴。
【請求項１１】
請求項１〜１０のいずれか一項に記載の靴であって、
前記靴底部の上面および前記アッパー部の内面に、装着者の足の外形に整合する凸部または凹部を設けていることを特徴とする靴。
【請求項１２】
請求項１〜１１のいずれか一項に記載の靴であって、
前記靴底部は、インソールの滑動を防止するための複数の凹部または、凸部を有していることを特徴とする靴。
【請求項１３】
請求項１〜１２のいずれか一項に記載の靴であって、
前記靴底部および前記アッパー部の内側の少なくとも一部に、靴と装着者の足の間に生じる隙間を補填する、クッション性を有するインソールを設けていることを特徴とする靴。
【請求項１４】
請求項１３に記載の靴であって、
前記インソールは、透明、または半透明の部材であることを特徴とする靴。
【請求項１５】
請求項１３または１４に記載の靴であって、
前記インソールは、１０〜３０度の硬度を有する軟質部材により構成されていることを特徴とする靴。
【請求項１６】
請求項１〜１５のいずれか一項に記載の靴であって、
前記靴底部および前記アッパー部は、貫通孔を有し、
前記貫通孔に嵌合し、前記貫通孔を通して靴の外側に露出する嵌込みインソールを有することを特徴とする靴。
【請求項１７】
請求項１６に記載の靴であって、
前記嵌込みインソールは、靴の外側に露出する部分に硬質部材からなる装飾を設けていることを特徴とする靴。
【請求項１８】
請求項１６に記載の靴であって、
前記嵌込みインソールは、靴の外側に露出する部分にガラス、アクリル樹脂、ＰＥＴＧ樹脂からなる装飾を有することを特徴とする靴。
【請求項１９】
請求項１６に記載の靴であって、
前記嵌込みインソールは、靴の外側に露出する部分が金属的または鉱物的な光沢を有することを特徴とする靴。
【請求項２０】
請求項１６に記載の靴であって、
前記嵌込みインソールは、靴の外側に露出する部分に、ダイヤモンドを含む宝石、真珠、またはそれらのイミテーション、リボン、動植物をモチーフにしたオブジェを含む装飾を有することを特徴とする靴。
【請求項２１】
請求項１〜２０のいずれか一項に記載の靴であって、
前記アッパー部の少なくとも一部に、開口部、または、切り欠きを有することを特徴とする靴。
【請求項２２】
請求項１〜２１のいずれか一項に記載の靴であって、
前記アッパー部の少なくとも一部に、ストラップを有することを特徴とする靴。
【請求項２３】
請求項１〜２２のいずれか一項に記載の靴であって、
前記アッパー部、前記靴底部、前記ヒール部の少なくとも一部に、光あるいは音を出力する回路基板を有していることを特徴とする靴。
【請求項２４】
請求項１〜２３のいずれか一項に記載の靴であって、
前記ヒール部は、ヒール先端部とヒール基部からなり、
前記ヒール先端部を取り替え可能に形成されていることを特徴とする靴。
【請求項２５】
請求項２４に記載の靴であって、
前記ヒール先端部と前記ヒール基部は、それぞれ嵌込みのための凸部と凹部とを有し、
前記凸部は、凸部周面に段部を有し、
前記凹部は、凹部内側に切れ溝を有し、
前記ヒール先端部と前記ヒール基部の接合面に、前記ヒール先端部が回転しないように係合する回転止めを有していることを特徴とする靴。
【請求項２６】
請求項１〜２５のいずれか一項の靴において、
前記靴底部および前記アッパー部の内側の少なくとも一部に、金、銀、パール、若しくは玉虫色の光沢、または、色彩を施していることを特徴とする靴。
【請求項２７】
請求項１〜２５のいずれか一項の靴において、
前記靴底部および前記アッパー部の内側の少なくとも一部に、模様を施していることを特徴とする靴。
【請求項２８】
請求項１〜２５のいずれか一項の靴において、
前記靴底部および前記アッパー部の内側の少なくとも一部に、ラバーを有していることを特徴とする靴。
【請求項２９】
請求項１〜２５のいずれか一項の靴において、
前記靴底部および前記アッパー部の内側の少なくとも一部に、植毛または毛皮を有していることを特徴とする靴。
【請求項３０】
請求項１〜２９のいずれか一項の靴と合わせることで、装飾的効果を有する金、銀、パール、または玉虫色の光沢を、表面の少なくとも一部に有することを特徴とする靴下。
【請求項３１】
請求項１〜２９のいずれか一項の靴と合わせることで、装飾的効果を有する模様または絵柄を、表面の少なくとも一部に有することを特徴とする靴下。
【請求項３２】
請求項１〜２９のいずれか一項の靴の製造方法であって、
前記靴の前記ヒール部と前記靴底部と前記アッパー部を、それぞれ前記硬質部材の合成樹脂で一体成形する工程と、
前記ヒール部と前記靴底部と前記アッパー部を接合する工程と、
を有することを特徴とする靴の製造方法。
【請求項３３】
請求項１〜２９のいずれか一項の靴の製造方法であって、
前記ヒール部と前記靴底部を、前記硬質部材の合成樹脂で一体成形する工程と、
前記アッパー部を、前記硬質部材の合成樹脂で一体成形する工程と、
前記ヒール部と前記靴底部の一体成形したものと前記アッパー部を接合する工程と、
を有することを特徴とする靴の製造方法。
【請求項３４】
請求項１〜２９のいずれか一項の靴の製造方法であって、
前記靴の長さ方向に縦に分割した半割部品を、前記硬質部材の合成樹脂で一体成形する工程と、
前記半割部品を接合する工程と、
を有することを特徴とする靴の製造方法。
【請求項３５】
請求項１〜２９のいずれか一項の靴の製造方法であって、
かかと部分に切欠き部を有する前記靴底部と前記アッパー部を、靴の長さ方向に縦に分割した半割部品にして、前記硬質部材の合成樹脂で一体成形する工程と、
前記切欠き部と嵌合する嵌合部を有する前記ヒール部を、前記硬質部材の合成樹脂で一体成形する工程と、
前記半割部品の間に前記ヒール部を配置し、前記切欠き部と前記嵌合部を嵌合させ、前記ヒール部を組み込んだ状態で前記半割部品を接合する工程と、
を有することを特徴とする靴の製造方法。
【請求項３６】
請求項３２〜３５のいずれか一項の靴の製造方法であって、
金型の空洞部に前記合成樹脂を射出し、前記靴の外側表面を形成する側の金型から前記合成樹脂を冷却する工程を有することを特徴とする靴の製造方法。
【発明の詳細な説明】
【技術分野】
【０００１】
本発明は、靴に関する。
【背景技術】
【０００２】
一般に、靴はアッパー部、靴底部、ヒール部からなる。様々な種類の靴が存在する中で、特にヒール部が高くなっている女性用ハイヒールがある。
【０００３】
従来から、履き心地や安全性を重視したハイヒールがたくさん提案されている。履き心地を良くし、歩行しやすいようにするため、少なくともアッパー部が皮革や軟質ビニール等の軟質部材からなっているものが多く提案されている。
【０００４】
特許文献１には、靴の中で足が前方に滑るのを防止するため、前端部分と後端部分に複数の凹溝を設けたインソールを有するハイヒールが記載されている。
【先行技術文献】
【特許文献】
【０００５】
【特許文献１】特開２０１５−１３０９３０号公報
【発明の概要】
【発明が解決しようとする課題】
【０００６】
一般に、ガラス、アクリル樹脂、ＰＥＴＧ樹脂等の硬質部材は、透明または半透明、金属的または鉱物的な光沢を有しており、美観的に優れている。
【０００７】
従って、かかる硬質部材を靴に用いれば、美観的に優れた靴を得ることができる。しかし、硬質部材からなる靴は、柔軟性を有していないため、歩行中の足の変形に追随できず、その性質上、実用化することは困難であった。
【０００８】
そこで、本発明は、硬質部材からなり、ガラス、金属、鉱物的な美観を有し、履き心地が良く、歩行しやすい靴を提供することを目的とする。
【課題を解決するための手段】
【０００９】
本発明の一態様である靴は、
ヒール部と、
前記ヒール部の上に接合する、靴底部と、
前記靴底部の上に接合する、アッパー部と、
を有する靴であって、
前記ヒール部と前記靴底部は、少なくとも一部が透明または半透明の硬質部材、または表面が金属的または鉱物的な光沢を有する硬質部材からなることを特徴とする。
【００１０】
前記アッパー部は、
少なくとも一部が透明または半透明の硬質部材、または表面が金属的または鉱物的な光沢を有する硬質部材からなるようにすることができる。
【００１１】
前記靴は、
表面の少なくとも一部は、色彩または玉虫色の光沢を有することができる。
【００１２】
表面の少なくとも一部に、複数の反射平面（ファセット）を有することができる。
【００１３】
前記硬質部材は、無機ガラス、有機ガラス（ゆうきガラス、ＯＲＧＡＮＩＣ  ＧＬＡＳＳ）例えばアクリル樹脂、ポリカーボネート樹脂、ＰＥＴＧ樹脂等）のいずれかからなるようにすることができる。
【００１４】
前記ヒール部、前記靴底部、前記アッパー部の少なくとも一部の外表面に、ダイヤモンドを含む宝石、真珠、またはそれらのイミテーション、リボン、動植物をモチーフにしたオブジェを含む装飾を有することができる。
【００１５】
前記ヒール部、前記靴底部、前記アッパー部の少なくとも一部の外表面に、前記装飾を取り付けるための取付部を有することができる。
【００１６】
前記取付部は、前記装飾を嵌込み、スライド、貼付けによって取り付けることが可能である。
【００１７】
装着者の中足骨の先端が位置する前記靴底部の一部に、装着者の体重を受ける湾曲部を有することができる。
【００１８】
前記靴底部の厚みは、８ｍｍ〜５０ｍｍとすることができる。
【００１９】
前記靴底部の上面および前記アッパー部の内面に、装着者の足の外形に整合する凸部または凹部を設けることができる。
【００２０】
前記靴底部は、インソールの滑動を防止するための複数の凹部または、凸部を有することができる。
【００２１】
前記靴底部および前記アッパー部の内側の少なくとも一部に、靴と装着者の足の間に生じる隙間を補填する、クッション性を有するインソールを設けることができる。
【００２２】
前記インソールは、透明、または半透明の部材とすることができる。
【００２３】
前記インソールは、１０〜３０度の硬度を有する軟質部材により構成することができる。
【００２４】
前記靴底部および前記アッパー部は、貫通孔を有し、
前記貫通孔に嵌合し、前記貫通孔を通して靴の外側に露出する嵌込みインソールを有することができる。
【００２５】
前記嵌込みインソールは、靴の外側に露出する部分に硬質部材からなる装飾を設けることができる。
【００２６】
前記嵌込みインソールは、靴の外側に露出する部分に無機ガラス、有機ガラス（アクリル樹脂、ポリカーボネート樹脂、ＰＥＴＧ樹脂など）のいずれかからなる装飾を有することができる。
【００２７】
前記嵌込みインソールは、靴の外側に露出する部分が金属的または鉱物的な光沢を有することができる。
【００２８】
前記嵌込みインソールは、靴の外側に露出する部分に、ダイヤモンドを含む宝石、真珠、またはそれらのイミテーション、リボン、動植物をモチーフにしたオブジェを含む装飾を有することができる。
【００２９】
前記アッパー部の少なくとも一部に、開口部、または、切り欠きを有することができる。
【００３０】
前記アッパー部の少なくとも一部に、ストラップを有することができる。
【００３１】
前記アッパー部、前記靴底部、前記ヒール部の少なくとも一部に、音や振動等の外部信号を感知して、光あるいは音を出力する回路基板を有することができる。
【００３２】
前記ヒール部は、ヒール先端部とヒール基部からなり、前記ヒール先端部を取り替え可能に形成することができる。
【００３３】
前記ヒール先端部と前記ヒール基部は、それぞれ嵌込みのための凸部と凹部とを有し、
前記嵌込み凸部は、凸部周面に段部を有し、
前記嵌込み凹部は、凹部内側に切れ溝を有し、
前記ヒール先端部と前記ヒール基部の接合面に、前記ヒール先端部が回転しないように係合する回転止めを有することができる。
【００３４】
前記靴底部および前記アッパー部の内側の少なくとも一部に、金、銀、パール、若しくは玉虫色の光沢、または、色彩を施すことができる。
【００３５】
前記靴底部および前記アッパー部の内側の少なくとも一部に、模様施すことができる。
【００３６】
前記靴底部および前記アッパー部の内側の少なくとも一部に、ラバーを有することができる。
【００３７】
前記靴底部および前記アッパー部の内側の少なくとも一部に、植毛または毛皮を有することができる。
【００３８】
本発明の靴下は、
前記靴と合わせることで、装飾的効果を有する金、銀、パール、または玉虫色の光沢を、表面の少なくとも一部に有することを特徴とする。
【００３９】
前記靴下は、装飾的効果を有する模様または絵柄を、表面の少なくとも一部に有することができる。
【００４０】
本発明の一態様である靴の製造方法は、
前記靴の前記ヒール部と前記靴底部と前記アッパー部を、それぞれ前記硬質部材の合成樹脂で一体成形する工程と、
前記ヒール部と前記靴底部と前記アッパー部を接合する工程と、
を有することができる。
【００４１】
前記ヒール部と前記靴底部を、前記硬質部材の合成樹脂で一体成形する工程と、
前記アッパー部を、前記硬質部材の合成樹脂で一体成形する工程と、
前記ヒール部と前記靴底部の一体成形したものと前記アッパー部を接合する工程と、
を有することができる。
【００４２】
前記靴の長さ方向に縦に分割した半割部品を、前記硬質部材の合成樹脂で一体成形する工程と、
前記半割部品を接合する工程と、
を有することができる。
【００４３】
かかと部分に切欠き部を有する前記靴底部と前記アッパー部を、靴の長さ方向に縦に分割した半割部品にして、前記硬質部材の合成樹脂で一体成形する工程と、
前記切欠き部と嵌合する嵌合部を有する前記ヒール部を、前記硬質部材の合成樹脂で一体成形する工程と、
前記半割部品の間に前記ヒール部を配置し、前記切欠き部と前記嵌合部を嵌合させ、前記ヒール部を組み込んだ状態で前記半割部品を接合する工程と、
を有することができる。
【００４４】
金型の空洞部に前記合成樹脂を射出し、前記靴の外側表面を形成する側の金型から前記合成樹脂を冷却する工程を有することを特徴とする。
【発明の効果】
【００４５】
本発明によれば、ガラス、金属、鉱物的な美観を有する硬質部材からなり、かつ、履き心地が良く、歩行しやすい靴を提供することができる。
【図面の簡単な説明】
【００４６】
【図１】本発明の第一実施形態による靴の斜視図。
【図２】本発明の第一実施形態による靴の側面図。
【図３】本発明の第一実施形態による靴の斜視図。
【図４】本発明の第一実施形態による靴の斜視図。
【図５】本発明の第一実施形態による靴の横断面図（図４のＡ−Ａ断面図とＢ−Ｂ断面図）。
【図６】本発明の第二実施形態による靴の斜視図と横断面図。
【図７】本発明の第三実施形態による靴の斜視図と横断面図。
【図８】本発明の第四実施形態による靴の横断面図。
【図９】本発明の第五実施形態による靴の斜視図と横断面図。
【図１０】本発明の第六実施形態による靴の斜視図。
【図１１】本発明の第七実施形態による靴の斜視図。
【図１２】本発明の一実施形態による靴のヒール部の斜視図。
【図１３】本発明の一実施形態による靴の第一の製造方法の説明図。
【図１４】本発明の一実施形態による靴の第一の製造方法の部分拡大図。
【図１５】本発明の一実施形態による靴の第一の製造方法を説明する斜視図。
【図１６】本発明の一実施形態による靴の第二の製造方法を説明する斜視図。
【図１７】本発明の一実施形態による靴の第三の製造方法を説明する斜視図。
【図１８】本発明の第八実施形態による靴の側面図。
【図１９】靴下を有する本発明の一実施形態による靴の使用図。
【発明を実施するための形態】
【００４７】
以下に本発明の実施形態の例を、図面を用いて説明する。なお、下記のいくつかの実施形態において、同一または類似する構成要素については、同一の符号を付して説明を省略することがある。また、各実施形態においては、特徴的な構成要素を主に説明しており、他の実施形態の構成要素を備えていてもよい。
【００４８】
［本発明の第一実施形態］
図１は本発明の第一実施形態による靴１の斜視図を示している。なお、図１における左側を靴の前方向、または、爪先側といい、右側を靴の後方向、または、かかと側というものとする。つま先とかかとを結ぶ方向を長さ方向といい、それに垂直な方向を幅方向というものとする。
【００４９】
図１に示すように本実施形態の靴１は、女性用のハイヒールであって、ヒール部２、靴底部３、アッパー部４を備えている。ヒール部２は、接地面に対し概垂直に立っており、装着者の爪先部に比べ、かかと部が高い位置に位置するようになっている。
【００５０】
靴底部３は、かかと側でヒール部２の上面と接合している。アッパー部４は足を入れるための履き口を有し、靴底部３の上面の周縁部で靴底部３と接合している。
【００５１】
ヒール部２、靴底部３、アッパー部４は、透明な硬質部材から形成されている。硬質部材は、半透明であってもよく、金属的または鉱物的な光沢を有するものであってもよい。鉱物的な光沢は、大理石のマーブル模様のような模様を有していてもよい。硬質部材は、表面の少なくとも一部に色彩を有していてもよい。または表面の少なくとも一部に玉虫色の光沢を有していてもよい。
【００５２】
本実施形態では、美観を強調するように、図１に示すように硬質部材は、表面に複数の反射平面（ファセット）を有する。反射平面は、アッパー部４の表面と靴底部３の側面とヒール部２の表面の全体に設けられており、光を受けてきらきら反射するようになっている。反射平面が靴の表面全体に設けられていることにより、アッパー部４と靴底部３とヒール部２が連続して見え、アッパー部４と靴底部３とヒール部２が別々の部品からなっていても一体的に見える効果を奏することができる。なお、図１の例ではアッパー部４も硬質部材からなるが、アッパー部４は、硬質部材の代わりに通常の皮革または軟質部材からなっていてもよい。その場合でも、ヒール部２と靴底部３だけが硬質部材からなることで十分美観を呈することができる。また、ヒール部２の表面のみに反射平面を設けることもできる。この場合、ヒール部２が強調されてデザイン的に特徴を持たせることができる。
【００５３】
硬質部材は、例えば、ガラス、有機ガラス（アクリル樹脂、ポリカーボネート樹脂、ＰＥＴＧ樹脂（グリコール変性のポリエチレンテレフタラート））などを用いることができる。
【００５４】
さらには、人工大理石の様な、アクリル樹脂やポリエステル樹脂を主成分とした人工素材としても良い。さらには、アクリル樹脂（ＰＭＭＡ）に例えば、ゴム成分（ＩＲ）を混合したポリマーで耐衝撃性が向上したソフトアクリルなどがあげられる。ソフトアクリルは、柔軟性のある熱可塑性のアクリル樹脂である。
【００５５】
符号５は、アッパー部４に取り付けられた装飾を示している。装飾については、また後述する。
【００５６】
図２は本発明の第一実施形態の靴１の側面図を示している。
【００５７】
靴１は、複数の装飾５を有しており、図２の例では、アッパー部４のバンプ部７（履き口の前の部分）、かかと部、サイド部（履き口の横の部分）に複数取り付けられている。
【００５８】
装飾５は、ヒール部２、靴底部３に取り付けられてもよい。装飾５は、ダイヤモンドのような無色透明の宝石、サファイアやエメラルドのような色の付いた宝石、真珠、またはそれらのイミテーション、樹脂で形成したリボン、蝶々等動植物をモチーフにしたオブジェがある。また、装飾５は、硬質部材と同質の部材で形成されていてもよい。装飾５は靴を構成する硬質部材と同じ材質によって構成し、色が異なるようにしてもよい。
【００５９】
装飾５は、取付部１２を介して、アッパー部４に取り付けられている。取付部１２は装飾５の台座になるものであって、接着、融着、一体成形によってアッパー部４に固定されている。装飾５は取付部１２に対して、嵌め込み、スライド結合、螺着、接着等によって取り付けられている。
【００６０】
靴底部３の前側部分には下に凸な湾曲部６が設けられている。湾曲部６は、装着者の中足骨付近を安定させるために、靴底部３の中足骨付近が接触する部分に設けられている。湾曲部６によって足の滑りを防止し、体重が多くかかるつま先から指の付け根付近や足裏前方の負担を軽減させることができる。
【００６１】
また、アッパー部４のバンプ部７の内側には、柔軟な素材からなるバンプ部インソール１０が設けられている。バンプ部インソール１０はアッパー部４と装着者の足の間の隙間を少なくし、かつ、歩行時に装着者の足が靴１の内部で多少動くことを許容できるようになっている。バンプ部インソール１０は好ましくは透明な素材からなる。
【００６２】
靴底部３の厚さは任意であるが、最大厚さが８ｍｍ〜５０ｍｍ、好ましくは、１０ｍｍ〜２０ｍｍである。
【００６３】
図３はヒール部２と靴底部３を一体に形成した靴１の分解斜視図である。
【００６４】
図３において、ヒール部２と靴底部３からなる基部１１は一体成形され、それに対してアッパー部４が取り付けられる。一体成形については、また後述する。
【００６５】
図４は本発明のインソールを設けた靴１の斜視図を示している。
【００６６】
靴１は、複数のインソールを有しているのが好ましい。図４の例は、靴底部３の前方に底部インソール９を、アッパー部４のサイド部にサイドインソール１３を、それぞれ取り付けている。インソールは、靴底部３とアッパー部４の内面に複数箇所取り付けることができる。
【００６７】
インソールは、クッション性を有する柔軟部材であって、たとえば衝撃吸収性の高分子ゲル（ジェル）や、１０〜３０度の硬度を有するエラストマーやシリコンゴム等が適合する。表面の一部に色彩を有していてもよいが、靴底部３やアッパー部４と同色、透明または鏡面とすることにより靴１との一体性があって好ましい。
ここで硬度とは、測定機が簡便であることから一般に広く普及している「デュロメーター硬さ」のことである。「デュロメーター硬さ」は、測定する対象の表面に鋭利ではない針（押針、インデンタ）を押し込んで、その変形量を測定し数値化する方法であり、針を押し込む力としてスプリングを用いている。ＪＩＳ  Ｋ  ６２５３−３に規格され、デュロメーターには、タイプＡ、タイプＤ、タイプＥ及びタイプＡＭがあり、その選択は、次による。
・タイプＤデュロメーターで硬さが２０未満の値を示す場合はタイプＡを用いる。
・タイプＡデュロメーターで硬さが２０未満の値を示す場合は、タイプＥを用いる。
・タイプＡデュロメーターで硬さが９０を超える値を示す場合は、タイプＤを用いる。
・薄い試験片（厚さ６．０ｍｍ未満）の場合は、タイプＡＭを用いる。本願明細書および特許請求の範囲における硬度は、上記で選択されたタイプのデュロメーターで測定される値である。
【００６８】
また、インソールは、ポリウレタンフォームのような発泡材としても良い。さらには、合成皮革などとしても良い。靴の内部が透明に見える効果を出す場合は、部材が透明体となる材料が望ましい。一方、靴の内面に塗装や模様を施す際には必ずしも透明体でなくともよい。
【００６９】
底部インソール９とサイドインソール１３は、靴と装着者の足の間に生じる隙間を補填し、クッション性を有することにより、静止時は装着者の足をフィットさせ、歩行時は装着者の足の動きを許容することができる。このことについて、図５を用いて説明する。
【００７０】
図５（ａ）は図４の矢印Ａ−Ａの部分の靴１の断面図、図５（ｂ）と図５（ｃ）は図４の矢印Ｂ−Ｂの部分の靴１の断面図である。
【００７１】
一般に、ハイヒールを履くと、体重が足裏前方に多くかかり、第５中足骨から立方骨付近が幅方向に広がり圧力がかかりやすくなるため、周辺に痛みが生じやすい。図５（ａ）に示すように、柔軟部材からなるサイドインソール１３をアッパー部４のサイド部に設けることで、第５中足骨から立方骨付近が受ける圧力を吸収し、痛みを緩和させることができる。
【００７２】
また、ハイヒールを履くと、足全体が前方向に滑動し、指の付け根付近で身体を支えるため、指の付け根付近の関節に負担がかかりやすく、痛みが生じやすい。図５（ｂ）のように、靴底部３の前側に凹部８を設け、そこに底部インソール９を設けることにより、滑動を防止することが可能である。柔軟部材からなる底部インソール９を靴底部３の前側に設けることで、図５（ｃ）に示すように、足の前方向への滑動を抑え、さらに指の付け根付近が受ける負担を軽減させることができる。
【００７３】
なお、底部インソール９を配置する部分には、底部インソール９の滑動を防止する凹凸部を設けてもよい。
【００７４】
なお、底部インソール９は、かかと部分に設けてもよいし、靴と装着者の足の間に隙間が生じる他の部分に設けてもよい。
【００７５】
また、インソールを設ける代わりに、靴底部３やアッパー部４に、装着者の足の外形に整合する凸部または凹部を設けてもよい。
【００７６】
［本発明の第二実施形態］
図６（ａ）は本発明の第二実施形態による靴１の斜視図、図６（ｂ）は図６（ａ）の矢印Ａ−Ａの部分の横断面図を示している。
【００７７】
インソールは、靴のアッパー部等に貫通孔を設け、その貫通孔に嵌め込むようにしてもよい。このようなインソールを「嵌込みインソール」という。嵌込みインソールは、靴の内側に露出する部分については、インソールあるいは靴の内表面としての機能を有し、靴の外側に露出する部分については、装飾的な要素または機能的な要素を有するようにすることができる。本発明の第二実施形態は、このような嵌込みインソールであって、靴の外側の表面に色等の化粧を加えたインソールを有している。
【００７８】
第一実施形態と同一な部分には同一の符号を付し、必要な場合以外は重複する説明を省略する。この点、以降の他の実施形態についての説明においても同様である。
【００７９】
図６の靴１ａは、靴底部３に底部インソール９を、アッパー部４のサイド部に、貫通孔１４と嵌込みインソール１５を有している。
【００８０】
嵌込みインソール１５は、靴底部３に取り付けることも可能であるし、複数箇所取り付けることも可能である。
【００８１】
図６（ａ）に示すように、嵌込みインソール１５は、必要な可撓性を有し、貫通孔１４に嵌め込むようにして取り付けられる。嵌込みインソール１５を貫通孔に嵌め込んだ状態では、嵌込みインソール１５の外側表面がアッパー部４のサイド部に設けた貫通孔１４を通じて、靴の外側に露出して見えるようになっている。
【００８２】
嵌込みインソールは、比較的剛性を有する部材であって、たとえば材質はエラストマー、シリコンゴム、ポリプロピレン、ナイロン、塩化ビニール、またはポリウレタンフォームなどの発泡材などが適合する。
【００８３】
嵌込みインソール１５は、外側表面の一部に化粧部１６を有している。化粧部１６は嵌込みインソール１５の外側表面の少なくとも一部に、色彩、または、玉虫色の光沢を施したものである。化粧部１６は、半透明または金属的または鉱物的な光沢を有するものでもよい。鉱物的な光沢は、たとえば大理石のようなマーブル模様を有していてもよい。また、化粧部１６は、無機ガラス、有機ガラス（アクリル樹脂、ＰＥＴＧ樹脂など）を嵌込みインソール１５に貼り合わせたものでもよい。
【００８４】
嵌込みインソール１５は、全体を同一の物性を有する部材で形成しても良いが、靴の内側部分は柔軟性を有するようにしてもよい。
【００８５】
［本発明の第三実施形態］
本発明の第三実施形態は、嵌込みインソールの、靴の外側に露出した部分に装飾を設けたものである。
【００８６】
図７（ａ）は本発明の第三実施形態による靴１ｂの斜視図、図７（ｂ）は図７（ａ）の矢印Ａ−Ａの部分の横断面図を示している。
【００８７】
図７（ａ）に示すように、アッパー部４ｂのサイド部とバンプ部７に、貫通孔１８と嵌込みインソール１９が複数個取り付けられており、嵌込みインソール１９は、外側表面に装飾２０を有している。
【００８８】
本実施形態では、靴底部３の前側部分には、関節受け部１７が設けられている。関節受け部１７は、装着者の足の指の関節に整合する凹み形状を有し、装着者の足の指の関節が位置する部分に凹設されている。
【００８９】
関節受け部１７は、足が滑動するのをより防止するため、各足指に対応して設けるのが好ましい。また、関節受け部１７に底部インソール９を取り付けてもよい。
【００９０】
嵌込みインソール１９の外側表面に取り付けられた装飾２０は、ダイヤモンドのような無色透明の宝石、サファイアやエメラルドのような色の付いた宝石、真珠、またはそれらのイミテーション、樹脂で形成したハートマーク、星マーク、リボン、蝶々等動植物をモチーフにしたものがある。また、装飾２０は、靴底部３やアッパー部４と同質の硬質部材で形成されていてもよいし、同質であって色が異なる硬質部材であってもよい。
【００９１】
図７（ｂ）に示すように、嵌込みインソール１９は、アッパー部４のサイド部に設けた貫通孔１４に嵌着し、靴の外側から見えるように取り付けられている。装飾２０は、嵌め込み、スライド結合、一体成形、螺着、接着等によって嵌込みインソール１９に取り付けられている。装飾２０を取り替えることで、様々なシチュエーションにあったコーディネートが可能となる。
【００９２】
［本発明の第四実施形態］
本発明の第四実施形態は、靴底部に嵌込みインソールを設けたものである。本実施形態の靴底部に設けた嵌込みインソールは、靴の内側に対してはインソールの機能を有する部分、靴の底面外側には滑り止めの機能を有する部分を設けたものである。
【００９３】
図８は本発明の第四実施形態による靴の幅方向の横断面図を示している。
【００９４】
図８の例では、複数の靴底嵌込みインソール２１が、靴底部３ｃに設けた貫通孔２２に取り付けられている。貫通孔２２は、靴底部３ｃの前側部分の任意の場所に設けるようにしてもよいが、装着者の指関節が接する部分に設けるようにしてもよい。
【００９５】
貫通孔２２が装着者の指関節が接する部分に設けられている場合、靴底嵌込みインソール２１の装着者側の端部は、関節受け部２４とし、装着者の指の付け根付近が受ける負担を軽減させ、さらに、装着者の足が前方向へ滑動するのを抑える。貫通孔２２が靴底部３ｃの前側部分の任意の場所に設けられている場合、靴底嵌込みインソール２１の接地側端部は、地面に対して滑り止め２３となっている。滑り止め２３は、濡れた床上等、不安定な表面を歩く際に滑るのを防ぐことができる。
【００９６】
［本発明の第五実施形態］
本発明の第五実施形態は、靴のアッパー部のサイド部に開口部または切欠きを設けたものである。
【００９７】
図９（ａ）は本発明の第五実施形態による靴１ｄの斜視図、図９（ｂ）は図９（ａ）の矢印Ａ−Ａの部分で切断して示した横断面図を示している。
【００９８】
靴１ｄは、アッパー部４ｄの第五中足骨付近に切欠き２５を有している。
【００９９】
切欠き２５は、アッパー部４ｄの第一中足骨付近（土踏まず部）に設けてもよいし、第五中足骨付近（土踏まずの反対側の外側部分）と第一中足骨付近（土踏まず部）の両方に設けてもよい。
【０１００】
切欠き２５を設けることで、装着者の足が長く見え、さらに靴１ｄの美観が強調される。また、アッパー部４ｄが硬質部材によって形成されているため、切欠き２５を設けることで、履き口が広がり、靴１ｄが硬質部材によって形成されていても、履きやすくなる。
【０１０１】
なお、切欠き２５に代えて開口部を設けるようにしてもよい。
【０１０２】
［本発明の第六実施形態］
本発明の第六実施形態は、靴のアッパー部にストラップを設けたものである。
【０１０３】
図１０は本発明の第六実施形態による靴１ｅの斜視図を示している。
【０１０４】
図１０の例では、靴１ｅは、アッパー部４ｅの履き口の高い位置に、留め部２６とストラップ２７を有している（インステップストラップ）。ストラップ２７は、足首に近い部分で装着者の足の甲を抑えることによって、装着時に安定感を増すことができる。
【０１０５】
また、留め部２６とストラップ２７は、アッパー部４の前側に取り付けられていてもよい（メリージェーン）。ストラップ２７を足首部分に一周巻き付けるように留めてもよいし（アンクルストラップ）、バンプ部７中心付近から伸びるストラップとＴ字を形成するように組み合わせてもよい（Ｔストラップ）。
【０１０６】
ストラップ２７は上記種々のストラップを組合せて取り付けてもよい。ストラップを複数個取り付けることによって、より安定度が増す。
【０１０７】
ここで、留め部２６は、アッパー部４に設けた穴にストラップ２７を通す形状であるが、ストラップ２７を引っかけて留めるための突起であってもよいし、ストラップ２７をネジで留めるための、ネジ穴であってもよい。
【０１０８】
［本発明の第七実施形態］
本発明の第七実施形態は、イルミネーションや音等を発するものを設けたものである。
【０１０９】
図１１は本発明の第七実施形態による靴１ｆの分解斜視図を示している。
【０１１０】
靴１ｆは、ヒール部２と靴底部３ｆを一体成形している。靴底部３ｆの上面の一部に凹部２８を設け、凹部２８内にセンサー、電池を組み込んだ回路基板２９を設けている。回路基板２９には導線３０が接続され、導線３０は凹部２８の前方に延びる溝部分に配設されている。導線３０の先端は、表示器３１が設けられている。凹部２８の蓋をするように、カバー（インソール）３２を取り付け、カバー（インソール）３２の上面に、アッパー部４を接合している。
【０１１１】
回路基板２９では、装着者が歩く際に生じる振動、または周辺の音や光をセンサーによって感知すると、導線３０を通じて、表示器３１で光を発する。なお、表示器３１は、耐久性を考慮すると、ＬＥＤが好ましい。表示器３１から発生する光は、点滅してもよいし、経時に伴って色が変化してもよい。ここでは、表示器は一個を示しているが、イルミネーションの様に複数個を表示しても良い。
【０１１２】
また、導線３０に代えてグラスファイバーとし、回路基板２９においてＬＥＤ等で発光させ、その光をグラスファイバーで導いてその先端から発光するようにしてもよい。さらには、靴底部３ｆやアッパー部４に光を導くための溝やリブを設けてもよいし、溝やリブの内側に細かいカット処理やブラスト処理を施すことで、光を発散しやすい構造としても良い。
【０１１３】
本実施形態の靴１ｆの靴底部３ｆは、好ましくは透明または半透明な硬質部材からなり、この場合には、光が靴底部３ｆの内部を伝わって、側面や前面から周辺に放射されるため、視覚的に美しい効果を奏することができる。
【０１１４】
なお、導線３０と表示器３１の代わりに音を発するデバイスや、例えばメモリカードによる音楽を流す装置や、無線で外部から音楽流す装置を設けても良い。
【０１１５】
また、無線を介して、光をコントロールしても良い。
【０１１６】
図１１では、回路基板２９、表示器３１等を靴底部３ｆに組み込み、カバー（インソール）３２でその上面を押さえているが、回路基板２９、表示器３１をヒール部２やアッパー部４に組み込んでもよい。
【０１１７】
また、太陽電池や、電磁誘導等のワイヤレス充電を用いることで、電池交換が不要とすることができる。
【０１１８】
［本発明のヒール部］
本発明の第七実施形態は、取り替え可能なヒール部を有している。
【０１１９】
図１２は本発明の第七実施形態による靴のヒール部を分解して示した斜視図である。
【０１２０】
本実施形態のヒール部２ｇは、ヒール先端部３３とヒール基部３４とからなる。ヒール先端部３３は取り替え可能になっており、ヒール部２ｇの全体を交換する必要がない。
【０１２１】
また、ヒール部の成型時の「ヒケ」を抑えることができるので接着して一体として強度を高めても良いものである。なお、「ヒケ」とは、金型を冷却する際に、製品に凹みや穴が生じる現象である。
【０１２２】
ヒール先端部３３は、ヒール基部３４との接合面３９を有している。接合面３９は、凸部３５と回転止め（凸部）４０が設けられており、凸部３５には段部３７が設けられている。段部３７を設けることで、凹部３６に嵌め込んだ凸部３５が外れにくくなる。なお、段部３７はＯリングとしてもよい。
【０１２３】
ヒール基部３４は、ヒール先端部３３との接合面３９’を有している。接合面３９’は、凹部３６と回転止め（凹部）４１を有し、凹部３６の内側周辺には切れ溝３８が設けられている。切れ溝３８を設けることで、凸部３５と凹部３６が嵌合しやすくなる。
また、図では示さないが、例えばヒール先端部３３とヒール基部３４が接合している部分の側端にマイナスドライバーの先端部を差し込める程度の隙間を設けてもよい。マイナスドライバーを該隙間へ差し込むことで、接合面３９と接合面３９’が離れ、ヒール基部３４からヒール先端部３３を取り外すことが容易となる。
【０１２４】
回転止め（凸部）４０と回転止め（凹部）４１を係合させることで、ヒール基部３４に対して、ヒール先端部３３が回転することを防止することができる。
【０１２５】
［本発明の第一の製造方法］
図１３は本発明の一実施形態による靴の製造方法の説明図である。
【０１２６】
ヒール部２、靴底部３およびアッパー部４は、射出成形によって、それぞれ一体成形される。
【０１２７】
射出成形は、ヒール部２、靴底部３およびアッパー部４の形状をした空洞を有する金型の空洞部に、加熱溶融させた合成樹脂を射出して成形する。金型に射出された樹脂が固まるまで、圧力をかけたまま金型を冷却する。
【０１２８】
前述のとおり、金型を冷却すると、いわゆる「ヒケ」と呼ばれる変形の現象が生じる。ヒケによって製品に、凹みや穴が生じることがある。このため、装飾的な表面を有する側は可能な限り変形を小さくした方が好ましい。
【０１２９】
これに対して本製造方法では、金型の一方から冷却を行う。アッパー部４ｈを例に以下説明する。
【０１３０】
アッパー部４ｈを成形するため、アッパー部４ｈの外側（甲側）表面を形成する凹部を有する雌金型４２と、アッパー部４ｈの内側表面を形成する凸部を有する雄金型４３を用いる。雌金型４２と雄金型４３を組み合わせると、その間にアッパー部４ｈの形状の空洞部が形成される。雌金型４２と雄金型４３を組み合わせ、空洞部に合成樹脂を射出した後は、雌金型４２からアッパー部４ｈの合成樹脂を冷却する。これにより、アッパー部４ｈの外側（甲側）表面の変形を少なくすることができる。装飾的な表面に変形が少ないことは透明や色彩や光沢を有する硬質素材からなる本発明の靴にとって有利である。
【０１３１】
なお、冷却は製品の表面側の金型から行うようにすれば足り、金型の雄雌に関係しない。アッパー部４ｈ以外でも、一般に雌金型がヒール部や靴底部の外表面になるため、それらの外表面に接する金型から冷却するようにする。
【０１３２】
また、射出圧力を高めることでヒケを最小限におさえる。
例えば、靴底厚１５ｍｍのアクリルの場合、下記の条件としてもよい。
成形機のトン数（必要型締力）：１８０トン以上、好ましくは２５０〜５００トン
射出圧力：最大点で１２０Ｍｐｓ以上  好ましくは、最大点で１５０〜２００Ｍｐｓ
射出保持力：上記の約半分以上、好ましくは７割以上
成型時間：１２０秒以上、好ましくは３分から１０分
成型温度：２００〜２４０℃
【０１３３】
成形収縮は、キャビティに充填された溶融樹脂が冷却固化する過程で生じるため、特に結晶化する樹脂は比較的大きな成型収縮を生じる。成型収縮率は多くの要因の相互作用によって決まり、一般的に、主な要因としては次のようなものがあげられている。
１樹脂温度、２金型温度、３射出圧力、４射出速度、５射出時間、６成型品の厚さ、７充填剤、強化剤の形状、含有量。
【０１３４】
ここで、上記６の「成形品の厚さ」から生じるヒケの問題については、上記３の「射出圧力」を高めることでヒケを最小限に抑えることが可能となる。また、上記２の「金型温度」を温度差コントロールすることで、ヒケを外周面に出さない対策を行う。
【０１３５】
また、従来からの製品は肉厚をできるだけ一定にして、製品のヒケをなくすと共に、如何に肉厚を薄くして成型時間を短縮し、強度を増すかが図られてきたと言える。
【０１３６】
そのような事から、肉厚が厚く、部分によって肉厚が異なる製品の製造は避けられてきたと言える。本発明の製品は、肉厚が厚く、不均等で表面をレリーフするなどを施した、一見彫刻したような製品を目指している。例えばアクリル樹脂で成型品の厚みが１５ｍｍを超えてくると冷却に２０分前後の冷却時間が必要とされる。この冷却時間にお互いの金型の冷却をコントロールする。
【０１３７】
また、成型品取り出し後も内部の熱で変形が起きやすい。変形が起きにくい様に冶具を作り、支えて変形を抑えたり、変形しにくい保持（置き方）が必要とされる。
【０１３８】
靴底部においては靴底の外形ヒール部２の底と中足骨付近の底部を平面に置き、（１）中足骨付近より前のつま先方向、および、（２）ヒール部２の底と中足骨付近の中間位置、の弛み抑える支え部を設けた冶具を使用することで変形を抑える。靴底部３の厚さに応じて、上記（２）の支え部のみでも良い。また、ヒールの幅が厚い場合にはヒールの根元付近が横に膨らんでしまう傾向にある。このため、靴底部３を保持しヒール部２を吊り下げることで、横に膨らむことを防止しても良い。
【０１３９】
射出成形により製造されたヒール部２と靴底部３を接合するために、ヒール部２の上面に凸条部４６を設けている。凸条部４６と靴底部３の周縁部で靴底部３とアッパー部４を接合する。凸条部４６については後にさらに説明する。
【０１４０】
また、ヒール部２と靴底部３を接合するために、ヒール部２の上面に凸部４４を設け、靴底部３の下面に凹部４５を設けている。ヒール部２と靴底部３は、凸部４４と凹部４５を嵌合させ、凸部４４と凹部４５と接合面で互いに一体に接合する。
【０１４１】
図１４（ａ）と図１４（ｂ）は上記凸条部４６による接合方法とその変形例を示している。
【０１４２】
図１４（ａ）の例では、靴底部３の、アッパー部４底面と接合する部分の内側に、凸条部４６を設けている。靴底部３とアッパー部４を接合のために組み合わせると、凸条部４６がアッパー部４の接合部の内側に当接するようになる。すなわち、アッパー部４の接合部の底面は靴底部３の上面に突き合わせ状態で当接するとともに、アッパー部４の接合部の底部の内側側面は凸条部４６の側面に接する。これにより、接合面積が大きくなり、堅固な接合を得ることができる。
【０１４３】
図１４（ｂ）の例では、凸条部４６は、アッパー部４の接合部の底面に一致する位置に設けられている。アッパー部４の接合部の底面は凸条部４６と嵌合する溝部４７を有している。靴底部３とアッパー部４を接合のために組み合わせると、凸条部４６が溝部４７に嵌合するようになる。靴底部３の凸条部４６とアッパー部４の溝部４７が互いに嵌合することにより、堅固な接合を得ることができる。
【０１４４】
なお、接合部分は、透明であることが好ましく、二塩化メチレンを主成分とした接着剤を用いることができる。また、シアノアクリレート系瞬間接着剤、透明なエポキシ樹脂接着剤を用いても良い。
接合方法は接着に限られず、熱融着等公知のいずれかの接合方法によることができる。
【０１４５】
図１５は、ヒール部２と靴底部３を予め一体成形し、基部１１ｉを形成した靴１ｉを示している。
【０１４６】
図１５に示すように、ヒール部２と靴底部３が一体成形され、その上面にアッパー部４が接合される。一般に基部１１ｉは一体成形に適しているため、この製造方法によれば、製造工程を簡略化することができる。
【０１４７】
なお、図１５の例では凸条部４６を設けているが、接合方法はこれに限られず、任意の接合方法を採ることができる。
【０１４８】
また、図１５の例ではリボン形状の装飾５ｉを設けているが、上述した任意の装飾を設けることができる。
【０１４９】
［本発明の一実施形態の第二の製造方法］
図１６は本発明の他の靴の製造方法を説明的に示した図である。
【０１５０】
本製造方法によれば、靴１ｊは、靴の長さ方向に縦に分割した半割部品５０ｊ’と５０ｊ’’からなっており、それぞれ一体成形によって形成する。半割部品５０ｊ’と５０ｊ’’の接合面４８には、それぞれ、ダボ４９とこれに対応するダボ穴が設けられている。接合の際に、ダボ４９とダボ穴を嵌合させる。これにより、位置ずれがしにくく、かつ、接合が強固になっている。
【０１５１】
なお、ダボ４９およびダボ穴に、Ｏリングや段部を設けてもよいし、接合面が互いに嵌合する形状とし、互いに嵌め込むようにして接合してもよい。
【０１５２】
なお、半割部品５０ｊ’と５０ｊ’’のそれぞれにインソールを配置する凹部８ｊを設けているが、凹部８ｊも互いに整合させることは言うまでもない。
【０１５３】
［本発明の一実施形態の第三の製造方法］
本発明のさらに他の靴の製造方法は、ヒール部２のみ半割にせず、靴底部とアッパー部を半割部品として形成し、両方の半割部品の間にヒール部を組み込んで接合する製造方法である。
【０１５４】
図１７は本製造方法を説明的に示した図である。
【０１５５】
靴１ｋは、靴底部とアッパー部を靴の長さ方向に縦に切断した半割部品５０ｋ’と５０ｋ’’と、ヒール部２ｋとを別々に製造する。一体成形の工程および冷却方法は、上述した通りである。
【０１５６】
半割部品５０ｋ’と５０ｋ’’は、かかと部分の下部に、切欠き部５１を有している。切欠き部５１は、嵌合した相手が下方向に抜けないようなＴ字型あるいは逆三角形の切欠形状を有している。切欠き部５１は、半割面から所定の深さまで設けられている。また、半割部品５０ｋ’と５０ｋ’’の接合面には、ダボ４９ｋとこれに対応するダボ穴が設けられている。
【０１５７】
一方、ヒール部２ｋの上部には、縦断面の形状が切欠形状と整合するスライド嵌合部５２が設けられている。
【０１５８】
本製造方法において、最初に半割部品５０ｋ’と５０ｋ’’とヒール部２ｋを別々に一体成形し、しかる後に、半割部品５０ｋ’と５０ｋ’’の間にヒール部２ｋを配置し、ヒール部２ｋのスライド嵌合部５２を、半割部品５０ｋ’と５０ｋ’’の切欠き部５１内にスライドさせて組み込む。ヒール部２ｋを組み込んだ後に、半割部品５０ｋ’と５０ｋ’’を、ダボ４９ｋとダボ穴を嵌合させるようにして接合する。
【０１５９】
これにより、ヒール部２ｋを組み込んだ状態で靴１ｋが形成される。切欠き部５１が半割面から所定の深さまでしか設けられていないことにより、ヒール部２ｋのスライド嵌合部５２が外部から見えないようになる。なお、スライド嵌合部５２は、必ずしもスライド可能な形状にしなくてもよい。たとえば球形の嵌合部としてもよい。この場合、切欠き部は球形を両側から挟み込む半球形の切欠き部とすればよい。
【０１６０】
図１８は、内側面にコーティング５３を施した靴１ｍの側面図を示している。
【０１６１】
図１８の例では、靴１ｍの内側表面全体に光沢を施している。光沢は、金、銀、パールまたは玉虫色に見える光沢材料からなる。光沢材料としては、ラメまたはグリッターと呼ばれる光輝性粉末を含む塗料を用いることができるし、光の多重層反射を利用してパール調に輝くような材料を用いることもできる。
【０１６２】
光沢材料は、靴の内側面に塗布されていても、貼り付けられていてもよいし、上記以外に、ホログラムシート、反射シートなどを貼り付けてもよい。また、金や銀については、蒸着、スパッタリングによって靴１ｍの内側表面に付着させることもできる。
【０１６３】
光沢の他に、色彩、模様、絵柄を靴の内側面に施してもよい。靴本体が透明であるため、靴の外側から、光沢、色彩、模様、絵柄（以下、光沢等）を視認することができ、外部からの光を受けることで、光沢等がさらに美しく輝く。
【０１６４】
また、光沢等は、靴の内面に施されているので、靴の外面が傷付いたとしても、光沢面等が剥がれることがない。
【０１６５】
なお、コーティング５３は、靴の内側全体に施してもよいし、一部にのみ施してもよい。
【０１６６】
また、コーティング５３として、白色、黒色などの色彩を施したり、これらに金や銀、パールを混ぜて光沢感を出しても良い。また、内側に金箔を貼って、その上にハーメチックシール処理を施してもよい。
【０１６７】
光沢等のコーティング５３の他に、ラバー５４または毛皮５５を靴の内面に施すこともできる。または、静電植毛などで、内面にマイクロファイバーなどで植毛してもよい。以下で説明する。
【０１６８】
ラバー５４は、弾力性や柔軟性を有する部材であって、たとえば、天然ゴム、イソプレンラバー、クロロプレンラバー、スチレン・ブタジエンラバーなどが適合する。
【０１６９】
ラバー５４は、二重成形により靴の内側面に設けられてもよいし、また、ウレタン素材や、繊維入りの樹脂材などを靴の内側に塗り、これらを介して、靴の内側面に設けることもできる。靴本体が透明であるため、ウレタン素材、繊維入りの樹脂材、ラバー５４は、色彩を有していた方が美観的によい。
【０１７０】
弾力性や柔軟性を有するラバー５４を、靴の内側に施すことで、歩行の際に足が受ける圧力を吸収することができる。また、足の前方向への滑動を抑えることもできる。
【０１７１】
なお、ラバー５４は、靴の内側全体に施してもよいし、一部にのみ施してもよい。
【０１７２】
毛皮５５は、ラビットファーやフォックスファーなどのリアルファーの他、化学繊維からなるフェイクファーであってもよい。どの場合でも、靴の内側に施すため、短毛の方が好ましい。毛皮５５は、通気性や吸湿性に優れているうえ、防寒性や保温性が優れているため、寒い日の使用に適している。
【０１７３】
毛皮５５は、ラバー５４を介して靴の内側に貼り付けてもよいし、毛皮５５の毛の部分のみを靴の内側に直接植毛してもよい。靴本体が透明であるため、靴の外側から、毛皮５５の表面側を視認できるように施すことで、靴の外観がゴージャスとなる。
【０１７４】
なお、毛皮５５は、靴の内側全体に施してもよいし、一部にのみ施してもよい。
【０１７５】
また、外観上、素足のように見せるため、内面を素肌色（肌色や薄いオレンジ色、小麦色など）の塗料を塗布してもよい。または、インソールを素肌色としてもよい。また、指の部分には、内面に指の装飾（模様）を施し、爪部分には、内面に爪の装飾（模様）を施してもよい。そうすれば、靴下を履いている場合でも、素足のように見せることができる。
【０１７６】
図１９は本発明の一実施形態による靴１ｍおよび靴下５６の使用図を示しており、靴１ｍの内側に靴下５６を履いている。
【０１７７】
本実施形態の靴１ｍと靴下５６を合わせて履くことで、靴のサイズ調整を容易にし、より足に靴をフィットさせる事ができる。特に、足の甲部分が広く開いており、足の靴と接している部分を覆うような形状の靴下（フットソックス、フットカバー）においては、外面的に違和感のない装着が望める。
【０１７８】
また、靴下５６の表面に金や銀、パールなどの光沢のある素材を使用することにより、光が当たると靴下５６の表面が煌めき、靴１ｍの内面で反射光が発生し、靴の表面で反射や屈折して表面から射出する。
【０１７９】
これによって、靴の硬質感を醸し出すことになり、強調した煌びやかさを表現することが出来る。
【０１８０】
また、靴下５６の表面に模様や絵柄を施すことで、靴１ｍと合わせて履くことにより、装飾的効果をもたらし、美観を呈する。なお、靴下５６は、レース素材から形成されてもよい。
【０１８１】
なお、上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１８２】
１、１ａ、１ｂ、１ｄ、１ｅ、１ｆ、１ｈ、１ｉ、１ｊ、１ｋ、１ｋ’、１ｋ’’、１ｍ  靴
２、２ｇ、２ｋ  ヒール部
３、３ｂ、３ｃ、３ｆ  靴底部
４、４ａ、４ｂ、４ｄ、４ｅ、４ｈ  アッパー部
５、５ｉ、２０  装飾
６  湾曲部
７  バンプ部
８、８ｊ  凹部
９  底部インソール
１０  バンプ部インソール
１１、１１ｂ、１１ｉ  基部
１２  取付部
１３  サイドインソール
１４、１８、２２  貫通孔
１５、１９  嵌込みインソール
１６  化粧部
１７、２４  関節受け部
２１  靴底嵌込みインソール
２３  滑り止め
２５  切欠き
２６  留め部
２７  ストラップ
２８  凹部
２９  回路基板
３０  導線
３１  表示器
３２  カバー（インソール）
３３  ヒール先端部
３４  ヒール基部
３５  凸部
３６  凹部
３７  段部
３８  切れ溝
３９、３９’  接合面
４０、４１  回転止め
４２、４３  金型
４４  凸部
４５  凹部
４６  凸条部
４７  溝部
４８  接合面
４９、４９ｋ  ダボ
５０ｊ’、５０ｊ’’、５０ｋ’、５０ｋ’’  半割部品
５１  切欠き部
５２  スライド嵌合部
５３  コーティング
５４  ラバー
５５  毛皮
５６  靴下
【図１】
2019051278.tif 000003
【図２】
2019051278.tif 000004
【図３】
2019051278.tif 000005
【図４】
2019051278.tif 000006
【図５】
2019051278.tif 000007
【図６】
2019051278.tif 000008
【図７】
2019051278.tif 000009
【図８】
2019051278.tif 000010
【図９】
2019051278.tif 000011
【図１０】
2019051278.tif 000012
【図１１】
2019051278.tif 000013
【図１２】
2019051278.tif 000014
【図１３】
2019051278.tif 000015
【図１４】
2019051278.tif 000016
【図１５】
2019051278.tif 000017
【図１６】
2019051278.tif 000018
【図１７】
2019051278.tif 000019
【図１８】
2019051278.tif 000020
【図１９】
2019051278.tif 000021
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
ヒール部と、
前記ヒール部の上に設けられる、靴底部と、
前記靴底部の上に設けられる、アッパー部と、
を有する靴であって、
前記ヒール部と前記靴底部は、略全体的に有機ガラスからなり、
前記アッパー部は、略全体的に有機ガラスからなる
ことを特徴とする靴。
【請求項２】
請求項１に記載の靴であって、
表面の少なくとも一部は、色彩または玉虫色の光沢を有することを特徴とする靴。
【請求項３】
請求項１または２に記載の靴であって、
表面の少なくとも一部に、複数の反射平面（ファセット）を有することを特徴とする靴。
【請求項４】
請求項１〜３のいずれか一項に記載の靴であって、
前記ヒール部、前記靴底部、前記アッパー部の少なくとも一部の外表面に、ダイヤモンドを含む宝石、真珠、またはそれらのイミテーション、リボン、動植物をモチーフにしたオブジェを含む装飾を有することを特徴とする靴。
【請求項５】
請求項１〜４のいずれか一項に記載の靴であって、
前記ヒール部、前記靴底部、前記アッパー部の少なくとも一部の外表面に、前記装飾を取り付けるための取付部を有することを特徴とする靴。
【請求項６】
請求項５に記載の靴であって、
前記取付部は、前記装飾を嵌込み、スライド、貼付けによって取り付け可能であることを特徴とする靴。
【請求項７】
請求項１〜６のいずれか一項に記載の靴であって、
装着者の中足骨の先端が位置する前記靴底部の一部に、装着者の体重を受ける湾曲部を有することを特徴とする靴。
【請求項８】
請求項１〜７のいずれか一項に記載の靴であって、
前記靴底部の厚みは、８ｍｍ〜５０ｍｍであることを特徴とする靴。
【請求項９】
請求項１〜８のいずれか一項に記載の靴であって、
前記靴底部の上面および前記アッパー部の内面に、装着者の足の外形に整合する凸部または凹部を設けていることを特徴とする靴。
【請求項１０】
請求項１〜９のいずれか一項に記載の靴であって、
前記靴底部は、インソールの滑動を防止するための複数の凹部または、凸部を有していることを特徴とする靴。
【請求項１１】
請求項１〜１０のいずれか一項に記載の靴であって、
前記靴底部および前記アッパー部の内側の少なくとも一部に、靴と装着者の足の間に生じる隙間を補填する、クッション性を有するインソールを設けていることを特徴とする靴。
【請求項１２】
請求項１１に記載の靴であって、
前記インソールは、透明、または半透明の部材であることを特徴とする靴。
【請求項１３】
請求項１１または１２に記載の靴であって、
前記インソールは、デュロメーター硬度が１０〜３０である軟質部材により構成されていることを特徴とする靴。
【請求項１４】
請求項１〜１３のいずれか一項に記載の靴であって、
前記靴底部および前記アッパー部は、貫通孔を有し、
前記貫通孔に嵌合し、前記貫通孔を通して靴の外側に露出する嵌込みインソールを有することを特徴とする靴。
【請求項１５】
請求項１４に記載の靴であって、
前記嵌込みインソールは、靴の外側に露出する部分にガラス、アクリル樹脂、ＰＥＴＧ樹脂からなる装飾を有することを特徴とする靴。
【請求項１６】
請求項１４に記載の靴であって、
前記嵌込みインソールは、靴の外側に露出する部分が金属的または鉱物的な光沢を有することを特徴とする靴。
【請求項１７】
請求項１４に記載の靴であって、
前記嵌込みインソールは、靴の外側に露出する部分に、ダイヤモンドを含む宝石、真珠、またはそれらのイミテーション、リボン、動植物をモチーフにしたオブジェを含む装飾を有することを特徴とする靴。
【請求項１８】
請求項１〜１７のいずれか一項に記載の靴であって、
前記アッパー部の少なくとも一部に、開口部、または、切り欠きを有することを特徴とする靴。
【請求項１９】
請求項１〜１８のいずれか一項に記載の靴であって、
前記アッパー部の少なくとも一部に、ストラップを有することを特徴とする靴。
【請求項２０】
請求項１〜１９のいずれか一項に記載の靴であって、
前記アッパー部、前記靴底部、前記ヒール部の少なくとも一部に、光あるいは音を出力する回路基板を有していることを特徴とする靴。
【請求項２１】
請求項１〜２０のいずれか一項に記載の靴であって、
前記ヒール部は、ヒール先端部とヒール基部からなり、
前記ヒール先端部を取り替え可能に形成されていることを特徴とする靴。
【請求項２２】
請求項２１に記載の靴であって、
前記ヒール先端部と前記ヒール基部は、それぞれ嵌込みのための凸部と凹部とを有し、
前記凸部は、凸部周面に段部を有し、
前記凹部は、凹部内側に切れ溝を有し、
前記ヒール先端部と前記ヒール基部の接合面に、前記ヒール先端部が回転しないように係合する回転止めを有していることを特徴とする靴。
【請求項２３】
請求項１〜２２のいずれか一項の靴において、
前記靴底部および前記アッパー部の内側の少なくとも一部に、金、銀、パール、若しくは玉虫色の光沢、または、色彩を施していることを特徴とする靴。
【請求項２４】
請求項１〜２２のいずれか一項の靴において、
前記靴底部および前記アッパー部の内側の少なくとも一部に、模様を施していることを特徴とする靴。
【請求項２５】
請求項１〜２２のいずれか一項の靴において、
前記靴底部および前記アッパー部の内側の少なくとも一部に、ラバーを有していることを特徴とする靴。
【請求項２６】
請求項１〜２２のいずれか一項の靴において、
前記靴底部および前記アッパー部の内側の少なくとも一部に、植毛または毛皮を有していることを特徴とする靴。
【請求項２７】
請求項１〜２６のいずれか一項の靴と合わせることで、装飾的効果を有する金、銀、パール、または玉虫色の光沢を、表面の少なくとも一部に有することを特徴とする靴下。
【請求項２８】
請求項１〜２６のいずれか一項の靴と合わせることで、装飾的効果を有する模様または絵柄を、表面の少なくとも一部に有することを特徴とする靴下。
【請求項２９】
請求項１〜２６のいずれか一項の靴の製造方法であって、
前記靴の前記ヒール部と前記靴底部と前記アッパー部を、それぞれ合成樹脂で一体成形する工程と、
前記ヒール部と前記靴底部と前記アッパー部を接合する工程と、
を有することを特徴とする靴の製造方法。
【請求項３０】
請求項１〜２６のいずれか一項の靴の製造方法であって、
前記ヒール部と前記靴底部を、合成樹脂で一体成形する工程と、
前記アッパー部を、合成樹脂で一体成形する工程と、
前記ヒール部と前記靴底部の一体成形したものと前記アッパー部を接合する工程と、
を有することを特徴とする靴の製造方法。
【請求項３１】
請求項１〜２６のいずれか一項の靴の製造方法であって、
前記靴の長さ方向に縦に分割した半割部品を、合成樹脂で一体成形する工程と、
前記半割部品を接合する工程と、
を有することを特徴とする靴の製造方法。
【請求項３２】
請求項１〜２６のいずれか一項の靴の製造方法であって、
かかと部分に切欠き部を有する前記靴底部と前記アッパー部を、靴の長さ方向に縦に分割した半割部品にして、合成樹脂で一体成形する工程と、
前記切欠き部と嵌合する嵌合部を有する前記ヒール部を、合成樹脂で一体成形する工程と、
前記半割部品の間に前記ヒール部を配置し、前記切欠き部と前記嵌合部を嵌合させ、前記ヒール部を組み込んだ状態で前記半割部品を接合する工程と、
を有することを特徴とする靴の製造方法。
【請求項３３】
請求項２９〜３２のいずれか一項の靴の製造方法であって、
金型の空洞部に前記合成樹脂を射出し、前記靴の外側表面を形成する側の金型から前記合成樹脂を冷却する工程を有することを特徴とする靴の製造方法。